(57)【要約】      （修正有）【課題】見栄えを良くし、スライダの移動を容易に、かつ確実に密封位置に停止させ、袋本体の破損を防止するチャック付包装袋を提供する。【解決手段】スライダ４付密封チャック５の雌雄トラックを隔壁仕切シート８に取付け、隔壁仕切シート８の両側端部を袋本体１の表背面シート２、３の両側端部と共にヒートシールしかつチャック５の一方のトラックを取付けた仕切シート８を袋本体１の表背面側シート２、３の一方の上端部にヒートシールする事によりチャック５を開口部に取付け、他方のトラックを取付けた仕切シート８と袋本体１の表面側シート２又は背面側シート３の間に内容物の充填口９を形成し、内容物の充填口９にはスライダの密封位置側の充填口の一部と閉塞させるヒートシール部１０を袋本体１の上端部に備えたものである。【選択図】図１
2005178795.tif 000002
【特許請求の範囲】
【請求項１】
スライダにより互いに係脱するチャックの雌トラックと雄トラックとを隔壁仕切シートに取付け、袋本体の表面側シートと背面側シートの両側端部を隔壁仕切シートの両側端部と共にヒートシールしかつチャックの一方のトラックを取付けた仕切シートを袋本体の表面側シート又は背面側シートのいずれか一方の上端部にヒートシールすることによりスライダ付きチャックを袋本体の開口部に取付け、チャックの他方のトラックを取付けた仕切シートと袋本体の表面側シート又は背面側シートのいずれか他方との間に内容物の充填口を形成し、内容物の充填口にはスライダの密封位置側の充填口の一部を閉塞させるヒートシール部を袋本体の上端部に備えたことを特徴とするスライダタイプのチャック付き包装袋。
【請求項２】
スライダの密封位置側の充填口の一部を閉塞させるヒートシール部の範囲をスライダの密封位置側の端縁から密封位置に位置付けされたスライダの長さまでとした請求項１に記載のスライダタイプのチャック付き包装袋。
【発明の詳細な説明】
【技術分野】
【０００１】
本発明はスライダにより開閉可能な密封チャックを有する包装袋に関するものである。
【背景技術】
【０００２】
従来、この種のスライダタイプのチャック付き包装袋はスライダにより互いに係脱するチャックの雌トラックと雄トラックとを中央で折畳んだＶ字状のプラスチック製隔壁仕切シートに取付け、隔壁仕切シートの両側端部を袋本体の表面側シートと背面側シートの両側端部と共にヒートシールしかつチャックの一方のトラックを取付けた仕切シートを袋本体の表面側シートの上端部にヒートシールすることによりスライダ付きチャックを袋本体の開口部に取付け、チャックの他方のトラックを取付けた仕切シートと袋本体の背面側シートとの間に内容物の充填口を形成し、内容物を袋本体に充填した後に他方のトラックを取付けた仕切シートと袋本体の背面側シートとの間の内容物の充填口をヒートシールすることにより袋を密封するようにしてある（特表２００２−５４４０６５号公報参照）。
【０００３】
【特許文献１】特表２００２−５４４０６５号公報
【発明の開示】
【発明が解決しようとする課題】
【０００４】
上述した従来公知のスライダタイプのチャック付き包装袋は内容物を充填した後にチャックの一方のトラックを取付けた隔壁仕切シートと袋本体の背面側シートとをヒートシールすることにより袋本体を密封するものであるが、内容物を充填する際に背面側シートを引張るために背面側シートの上端縁が捲くれ上がりスライダの下端を覆う形状になる（図４及び図５参照）。その場合にヒートシールの位置がスライダから下側に位置するので、スライダの下側のヒートシール部分にシワが発生し易く密封性を悪くする。またスライダが未ヒートシール部分の背面側シートと仕切シートとの間に入り込むため、袋の体裁が悪くなると共にスライダの移動が妨害され、スライダの頻繁な開閉移動により袋本体の背面側シートの両側部を破損させてしまう危険がある。更にスライダを覆った背面側シートはスライダが密封位置に停止するための障害となり、チャック付き袋の本来の目的である密封性を損うこととなる（図４及び図５の符号Ｘ参照）。
【０００５】
本発明の目的は袋の外観の見栄えが良く、スライダの移動の妨害がなく、袋の密封性を損わず、また袋本体を破損させるおそれのないスライダタイプのチャック付き包装袋を提供することにある。
【課題を解決するための手段】
【０００６】
本発明によるスライダタイプのチャック付き包装袋はスライダにより互いに係脱するチャックの雌トラックと雄トラックとを隔壁仕切シートに取付け、隔壁仕切シートの両側端部を袋本体の表面側シートと背面側シートの両側端部と共にヒートシールしかつチャックの一方のトラックを取付けた仕切シートを袋本体の表面側シート又は背面側シートのいずれか一方の上端部にヒートシールすることによりスライダ付きチャックを袋本体の開口部に取付け、チャックの他方のトラックを取付けた仕切シートと袋本体の表面側シート又は背面側シートのいずれか他方との間に内容物の充填口を形成し、内容物の充填口にはスライダの密封位置側の充填口の一部を閉塞させるヒートシール部を袋本体の上端部に備えたものである。
【０００７】
本発明のスライダタイプのチャック付き包装袋はスライダの密封位置側の充填口の一部を閉塞させるヒートシール部をスライダの密封位置側の端縁から密封位置に位置付けされたスライダの長さまでの範囲に形成してある。
【発明の効果】
【０００８】
本発明のスライダタイプのチャック付き包装袋はスライダの密封位置側の充填口の一部をヒートシール部で閉塞させてあるため、背面側又は表面側シートの上端縁がスライダ上にまくれ上ることも、又スライダが未ヒートシール部の背面側または表面側シートと仕切シートとの間に入り込むこともないので、袋の見栄えが良く、スライダの移動が容易であり、しかもスライダを確実に密封位置に停止させることができ、スライダの下側のヒートシール部分にシワが発生し難く、また袋本体の表面側又は背面側シートの破損を防止することができる。
【発明を実施するための最良の形態】
【０００９】
図において、符号１はプラスチック製シートの袋本体を示し、袋本体１は表面側シート２と背面側シート３とを有し、その開口部にはスライダ４により開閉可能な密封チャック５を取付けてある。密封チャック５はスライダ４により互いに係脱する雌トラック６と雄トラック７とから構成され、雌トラック６は中央で折畳んだＶ字状のプラスチック製隔壁仕切シート８の一方の仕切シート８ａに取付けられ、雄トラック７は隔壁仕切シート８の他方の仕切シート８ｂに取付けられている。隔壁仕切シート８は手で容易に切断できるようにミシン目または薄肉破断部を形成してある。
【００１０】
雌トラック６と雄トラック７とからなる密封チャック５にはスライダ４が嵌合され、両トラック６，７に沿ってスライダ４を図１に実線で示した密封位置から図１に二点鎖線で示した開封位置に又は二点鎖線の開封位置から実線の密封位置にスライドさせることにより密封チャック５を開閉させることができ、密封チャック５の雌トラック６と雄トラック７とを取付けたＶ字状の隔壁仕切シート８の両側端部を袋本体１の表面側シート２と背面側シート３の両側端部と共にヒートシールしかつ袋本体１の表面側シート２の上端部を密封チャック５の雌トラック６を取付けた隔壁仕切シート８の一方の仕切シート８ａにヒートシールすることによりスライダ付き密封チャック５を袋本体１の開口部に取付け、袋本体１の背面側シート３と隔壁仕切シート８の他方の仕切シート８ｂとの間に内容物の充填口９を形成してある。
【００１１】
内容物の充填口９にはスライダ４の密封位置側の充填口の一部を閉塞させるヒートシール部１０を袋本体１の上端部に備え、該ヒートシール部１０はスライダ４の密封位置側における密封チャック５の雄トラック７を取付けた隔壁仕切シート８の他方の仕切シート８ｂと袋本体１の背面側シート３との一部分をヒートシールすることにより形成してある。ヒートシール部１０は好ましくはスライダ４の密封位置側の端縁から密封位置に位置付けされたスライダ４の長さまでの範囲であって、仕切シート８の上部が望ましい。スライダ４を越えた位置までヒートシール部１０を延伸させることもできるが、その場合には充填口９の開口部が小さくなる。またヒートシール部１０はスライダの開封位置側の充填口９の一部を閉塞させるようにスライダの開封位置側に備えることもできる。
【００１２】
袋本体１の開口部に取付けた密封チャック５の両側端部にはスライダ４を停止させるためのストッパ１１，１２を取付け、またスライダ４を密封チャック５の密封位置に固定できるように密封チャックには切欠部（図示せず）を形成してある。内容物の充填においては、スライダ４を密封チャック５の密封位置に移動させ、袋本体１の背面側シート３と隔壁仕切シート８の他方の仕切シート８ｂとの間の充填口９から内容物を充填し、内容物の充填後にはその充填口９をヒートシールすることにより袋本体１を密封させることができる。
【図面の簡単な説明】
【００１３】
【図１】本発明によるスライダタイプのチャック付き包装袋の一部分を切欠して示した正面図である。
【図２】本発明によるスライダタイプのチャック付き包装袋の平面図である。
【図３】図１のＡ−Ａ線に沿う断面図である。
【図４】図１のＢ−Ｂ線に沿う断面図である。
【図５】従来のスライダタイプのチャック付き包装袋の斜視図である。
【図６】従来のスライダタイプのチャック付き包装袋の平面図である。
【符号の説明】
【００１４】
１      袋本体
２      表面側シート
３      背面側シート
４      スライダ
５      密封チャック
６      雌トラック
７      雄トラック
８      プラスチック製隔壁仕切シート
８ａ    一方の仕切シート
８ｂ    他方の仕切シート
９      内容物の充填口
１０      ヒートシール部
１１      ストッパ
１２      ストッパ
Ｘ        開封範囲
【図１】
2005178795.tif 000003
【図２】
2005178795.tif 000004
【図３】
2005178795.tif 000005
【図４】
2005178795.tif 000006
【図５】
2005178795.tif 000007
【図６】
2005178795.tif 000008